(57)【要約】【課題】グースネック型マイクロホンをマイクロホンスタンドにて支持するマイクロホン装置において、振動雑音と外来電磁波に起因する外乱雑音をともに効果的に低減する。【解決手段】出力コネクタ１４のフランジ１４２をマイクロホンスタンド２０のベース筐体２１にねじ止めするにあたって、ベース筐体２１とフランジ１４２との間に導電性を有する弾性材からなるガスケット４１を介装するとともに、雄ねじの頭部とフランジとの間にも弾性材からなるカラーを介装する。【選択図】図１
2008011165.tif 000002
【特許請求の範囲】
【請求項１】
マイクロホンユニットと出力コネクタを備えるマイク筐体とが支柱部材を介して連結されているグースネック型マイクロホンと、所定のテーブル面上に設置される金属材からなるベース筐体を有するマイクロホンスタンドとを含み、上記出力コネクタの周面にはコネクタ本体よりも大径のフランジが設けられており、上記ベース筐体には上記コネクタ本体が挿通可能で上記フランジよりも小径の支持孔が穿設されていて、上記出力コネクタを上記支持孔に差し込み、上記フランジを雄ねじにて上記ベース筐体にねじ止めすることにより、上記グースネック型マイクロホンがほぼ直立状として上記マイクロホンスタンドに支持されるマイクロホン装置において、
上記ベース筐体と上記フランジとの間に弾性材からなるガスケットが介装されているとともに、上記雄ねじの頭部と上記フランジとの間に弾性材からなるカラーが介装されていることを特徴とするマイクロホン装置。
【請求項２】
上記ガスケットと上記カラーのうち、少なくとも上記ガスケットが導電性を備えていることを特徴とする請求項１に記載のマイクロホン装置。
【請求項３】
上記ガスケットと上記カラーとが、ともに導電性を備えていることを特徴とする請求項１に記載のマイクロホン装置。
【請求項４】
上記ガスケットが環状であって、上記フランジの全周にわたって配置されていることを特徴とする請求項２または３に記載のマイクロホン装置。
【発明の詳細な説明】
【技術分野】
【０００１】
本発明は、グースネック型マイクロホンをマイクロホンスタンドにて支持してなるマイクロホン装置に関し、さらに詳しく言えば、振動雑音と外来電磁波に起因する外乱雑音を低減させる技術に関するものである。
【背景技術】
【０００２】
会議用マイクロホンのうち、グースネック型マイクロホンは、通常、マイクロホンスタンドに取り付けて使用される。その一例として、図３にグースネック型マイクロホン１０と、これを支持するマイクロホンスタンド２０とを示す。
【０００３】
グースネック型マイクロホン１０は、マイクロホンユニット１１とマイク筐体１２とを支柱部材であるフレキシブルパイプ１３を介して連結してなるマイクロホンで、マイクロホンユニット１１には、通常、コンデンサマイクロホンユニットが用いられる。
【０００４】
マイク筐体１２内には、音声出力回路や成極電源回路などが搭載された図示しない回路基板が収納されている。このことから、マイク筐体１２はパワーモジュールと呼ばれることもある。マイクロホンユニット１１とマイク筐体１２は、フレキシブルパイプ１３内に配線されている図示しないマイクコードにより電気的に接続されている。
【０００５】
マイク筐体１２の後端には、出力コネクタ１４が設けられている。この出力コネクタ１４は、ＥＩＡＪ  ＲＣ−５２３６〔音響機器用ラッチロック式丸型コネクタ〕に規定されているコネクタで、接地用の１番ピンＥ，信号のホット側の２番ピンＳＨ，信号のコールド側の３番ピンＳＣの３つのピンを備える。
【０００６】
この３つのピンを備える部分をコネクタ本体１４１とすると、コネクタ本体１４１の周面には、出力コネクタ１４をマイクロホンスタンド２０にねじ止めするためのフランジ１４２が設けられている。
【０００７】
マイクロホンスタンド２０は、金属材からなるベース筐体２１を備える。ベース筐体２１は安定性の観点から扁平な台形状に形成され、その底面には金属製の裏蓋２２が取り付けられている。裏蓋２２の四隅には防振用のゴム足２２１が設けられている。
【０００８】
ベース筐体２１の上面には、コネクタ本体１４１が挿通可能でフランジ１４２よりも小径である支持孔２３が穿設されている。この例では、ベース筐体２１の背面側に出力コネクタ１４と同一の出力コネクタ３１が設けられている。
【０００９】
出力コネクタ１４と出力コネクタ３１は、それらの１番ピンＥ同士，２番ピンＳＨ同士，３番ピンＳＣ同士がそれぞれベース筐体２１内で図示しないリード線にて接続される。出力コネクタ３１には、マイクコード３２１を介して図示しないファントム電源やミキサーなどに接続されているプラグ３２が差し込まれる。
【００１０】
グースネック型マイクロホン１０は、出力コネクタ１４をベース筐体２１の支持孔２３に差し込み、フランジ１４２をベース筐体２１にねじ止めすることにより、マイクロホンスタンド２０にほぼ直立状に支持されるが、そのねじ止めの詳細を図２の拡大断面図により説明する。
【００１１】
フランジ１４２は、ベース筐体２１の支持孔２３の周りに形成されている凹部２３１内に配置されるが、その際、ガタ付き防止のためにフランジ１４２と凹部２３１の底面との間にゴム材からなるガスケット２４が介装される。凹部２３１の底部には雌ねじ２３２が形成され、また、フランジ１４２とガスケット２４には、ねじ挿通孔１４３，２４１がそれぞれ穿設されている。
【００１２】
雌ねじ２３２に対してねじ挿通孔１４３，２４１を同軸に位置合わせして、フランジ１４２側から雄ねじ２５を挿入して雌ねじ２３２にきつく螺合することにより、グースネック型マイクロホン１０がマイクロホンスタンド２０に固定される。通常、ねじ止め箇所は２箇所から３箇所程度とされる。
【００１３】
この構成によれば、ガスケット２４によりガタ付きは防止できるものの、フランジ１４２とベース筐体２１は雄ねじ２５にて機械的に結合されているため、マイクロホンスタンド２０が例えば筆記具や指先で叩かれたり、擦られたりした場合に生ずる振動がマイクロホンユニット１１に伝わり振動雑音が発生することがある。
【００１４】
また、電気的に見ると、ガスケット２４はゴム材で導電性がないことから、マイクロホンスタンド２０と出力コネクタ１４は雄ねじ２５のみによって電気的に接続されていることになる。そこで、次のような問題が生ずる。
【００１５】
近年、携帯電話機が急速に普及しているが、携帯電話機からはかなり強い電磁波が発生することが知られている。携帯電話機がマイクロホン装置の近傍で使用され、マイクロホンスタンド２０がその強い電磁波に晒された場合、それによってマイクロホンスタンド２０には高周波電流が流れる。
【００１６】
マイクロホンスタンド２０と出力コネクタ１４との電気的な接続が良好であれば、その高周波電流は出力コネクタ１４のシールド側（例えば、接地用の１番ピンＥ）に流れ込むが、上記したように、マイクロホンスタンド２０と出力コネクタ１４は雄ねじ２５のみによって電気的に接続されているため、必ずしも電気的な接続が良好とは言えない。
【００１７】
したがって、携帯電話機がマイクロホン装置の近傍で使用された場合、それによってマイクロホンスタンド２０に生ずる高周波電流がベース筐体２１に流れ込み、これが原因で外乱雑音が発生することがある。
【００１８】
ここで、特許文献１に記載されているように、マイクロホンスタンド２０に対して出力コネクタ１４全体をゴム弾性を有するマウント部材を介して支持すれば、上記した振動雑音を抑えることができるが、このようにしても外乱雑音は一向に低減されない。
【００１９】
【特許文献１】特開平１１−３４１５７６号公報
【発明の開示】
【発明が解決しようとする課題】
【００２０】
したがって、本発明の課題は、グースネック型マイクロホンをマイクロホンスタンドにて支持してなるマイクロホン装置において、振動雑音と外来電磁波に起因する外乱雑音をともに効果的に低減することにある。
【課題を解決するための手段】
【００２１】
上記課題を解決するため、本発明は、マイクロホンユニットと出力コネクタを備えるマイク筐体とが支柱部材を介して連結されているグースネック型マイクロホンと、所定のテーブル面上に設置される金属材からなるベース筐体を有するマイクロホンスタンドとを含み、上記出力コネクタの周面にはコネクタ本体よりも大径のフランジが設けられており、上記ベース筐体には上記コネクタ本体が挿通可能で上記フランジよりも小径の支持孔が穿設されていて、上記出力コネクタを上記支持孔に差し込み、上記フランジを雄ねじにて上記ベース筐体にねじ止めすることにより、上記グースネック型マイクロホンがほぼ直立状として上記マイクロホンスタンドに支持されるマイクロホン装置において、上記ベース筐体と上記フランジとの間に弾性材からなるガスケットが介装されているとともに、上記雄ねじの頭部と上記フランジとの間に弾性材からなるカラーが介装されていることを特徴としている。
【００２２】
本発明において、上記ガスケットと上記カラーのうち、少なくとも上記ガスケットが導電性を備えていることが重要であるが、上記ガスケットと上記カラーとが、ともに導電性を備えていることが好ましい。また、好ましくは上記ガスケットが環状であって、上記フランジの全周にわたって配置される。
【発明の効果】
【００２３】
本発明によれば、出力コネクタのフランジをマイクロホンスタンドのベース筐体にねじ止めするにあたって、ベース筐体とフランジとの間に弾性材からなるガスケットが介装されるとともに、雄ねじの頭部とフランジとの間にも弾性材からなるカラーが介装されているため、ガスケットによりガタ付きが防止され、また、マイクロホンスタンド側に加えられた振動がカラーにより減衰されることになり、振動雑音を大幅に低減させることができる。
【００２４】
また、ガスケットに導電性を持たせ、好ましくはカラーにも導電性を持たせることにより、ベース筐体と出力コネクタとが電気的に良好な状態で接続されマイクロホンスタンドのシールドが確保できることから、高周波による外乱雑音の発生を低減できる。
【発明を実施するための最良の形態】
【００２５】
次に、図１および図２により本発明の実施形態について説明する。図１は本発明の要部（マイクロホンスタンドと出力コネクタのねじ止め部分）を示す拡大断面図，図２は本発明で用いられるガスケットを示す斜視図である。なお、マイクロホン装置の基本的（全体的）な構成については特に変更を要しないため、先に説明した図３を参照されたい。
【００２６】
本発明のマイクロホン装置は、図３に示したマイクロホン装置と同じく、グースネック型マイクロホン１０とマイクロホンスタンド２０とを備え、グースネック型マイクロホン１０の出力コネクタ１４をマイクロホンスタンド２０のベース筐体２１にねじ止めすることにより構成される。
【００２７】
図１に本発明の要部であるねじ止め部分を示す。この例においても、ベース筐体２１の支持孔２３の周りに出力コネクタ１４のフランジ１４２が配置される凹部２３１が形成される。また、凹部２３１の底部には雄ねじ２５の相手方としての雌ねじ２３２が形成される。なお、この凹部２３１は、フランジ１４２の面をベース筐体２１の面に揃えるためのもっぱら意匠上の観点から形成されるもので、本発明にとって必ず必要とされるものではない。
【００２８】
出力コネクタ１４のフランジ１４２を凹部２３１内でねじ止めするにあたって、ガタ付き防止のためのガスケット４１が用いられる。本発明において重要なことは、ガスケット４１は弾性のみでなく導電性も備えた材料により形成されている点である。
【００２９】
図２に示すように、ガスケット４１は出力コネクタ１４のフランジ１４２の全周に沿って配置されるように環状体に形成され、所定箇所にねじ挿通孔４１１を備えている。この例では２点止めであるため、挿通孔４１１が１８０゜の間隔で２箇所に設けられている。
【００３０】
また、本発明においては、雄ねじ２５にはカラー４２が挿通される。好ましくは、カラー４２もガスケット４１と同じく、弾性のみでなく導電性も備えた材料よりなる。この種の弾性と導電性を兼ね備えた材料としては、高品質シリコンに導電性フィラーを充填した太陽金網社製の「シールド・シート」（商品名）を例示することができる。
【００３１】
出力コネクタ１４をマイクロホンスタンド２０のベース筐体２１にねじ止めするには、凹部２３１に設けられている雌ねじ２３２に対して、ガスケット４１のねじ挿通孔４１１とフランジ１４２のねじ挿通孔１４３を同軸に位置合わせするとともに、雄ねじ２５のねじ軸にカラー４２を挿通したうえで、雄ねじ２５をフランジ１４２側から挿入して雌ねじ２３２にきつく螺合する。
【００３２】
これによれば、ガスケット４１の弾性により出力コネクタ１４のガタ付きが防止されるばかりでなく、ガスケット４１の導電性によりベース筐体２１と出力コネクタ１４との電気的な接続が良好となる。
【００３３】
したがって、マイクロホンスタンド２０が携帯電話機などから発せられる強い電磁波に晒され、ベース筐体２１に高周波電流が流れたとしても、その高周波電流がマイクロホンスタンド２０内に入り込まないため、外乱雑音を低減することができる。
【００３４】
また、雄ねじ２５とフランジ１４２との間にカラー４２が介装されており、ベース筐体２１に加えられた機械的振動がカラー４２にて減衰されるため、振動雑音を大幅に低減することができる。
【００３５】
さらには、カラー４２にも導電性を持たせることにより、ベース筐体２１と出力コネクタ１４との電気的接続がより良好となるため、マイクロホンスタンド２０のシールドをより確実なものとすることができる。
【図面の簡単な説明】
【００３６】
【図１】本発明の要部（マイクロホンスタンドと出力コネクタのねじ止め部分）を示す拡大断面図。
【図２】本発明に用いられるガスケットを示す斜視図。
【図３】グースネック型マイクロホンをマイクロホンスタンドに取り付けた従来例としてのマイクロホン装置を示す一部に断面を含む側面図。
【図４】従来例でのマイクロホンスタンドと出力コネクタのねじ止め部分を示す拡大断面図。
【符号の説明】
【００３７】
１０  グースネック型マイクロホン
１１  マイクロホンユニット
１２  マイク筐体
１３  フレキシブルパイプ
１４  出力コネクタ
１４１  コネクタ本体
１４２  フランジ
２０  マイクロホンスタンド
２１  ベース筐体
２３  支持孔
２３１  凹部
２３２  雌ねじ
２５  雄ねじ
４１  ガスケット
４２  カラー
【図１】
2008011165.tif 000003
【図２】
2008011165.tif 000004
【図３】
2008011165.tif 000005
【図４】
2008011165.tif 000006